(57)【特許請求の範囲】
【請求項１】
前後に開口を有する箱型ケーシングに吸音部を横に立てた状態で複数枚並べて収容した消音装置において、前記吸音部は後端で枢着された一対の打ち抜き鋼板によって吸音材を挾持させ、前面をスプリットカバーによって覆って構成し、該吸音部を前記箱型ケーシングに着脱可能に取り付けたことを特徴とする消音装置。
【請求項２】
前後に開口を有する箱型ケーシングに吸音部を横に立てた状態で複数枚並べて収容した消音装置において、前記吸音部は後端で枢着された一対の打ち抜き鋼板によって吸音材を挾持させ、前面をスプリットカバーによって覆い、かつ底部にはキャスター台車を着脱可能に取り付けて構成し、該吸音部の上下で前記箱型ケーシングに適宜間隔で着脱可能に取り付けたことを特徴とする消音装置。
【請求項３】
吸音材は撥水性グラスウール、セラミックボード、アルミ焼結板等の中から選択して消音性能が最適なものを用いることを特徴とする請求項１または請求項２記載の消音装置。
【発明の詳細な説明】
【０００１】
【発明の属する技術分野】
本発明はトンネル掘削現場などで使用される大型送風機に用いる大型の消音装置に係り、特に吸音部（スプリット）が目づまりを起した際に吸音部を消音装置から容易に取り出して吸音材を洗浄したり、交換したりでき、また用途に応じて吸音材の選択使用が容易にできる消音装置に関する。
【０００２】
【従来の技術】
従来、トンネル掘削現場などで使用される大型送風機に用いられている消音装置では、吸音部がケーシングに溶接などで固定されていたために吸音部が目づまりを起して消音性能が劣化したり、または鉄部が腐食を起しても吸音部（スプリット）だけを交換することができなかった。
【０００３】
そのために吸音部が目づまりを起して消音性能が劣化したり、または鉄部が腐食を起した際には消音装置の全体を新しいものに交換せざるを得なかったから、例えばトンネルの天井に設置されている消音装置の全体を取り外すには足場を組んだり、クレーンなどの大型機械が必要となり、この消音装置の交換は大がかりな作業となっていた。
さらに、その間のトンネル掘削作業は中止しなければならず、この交換作業は掘削作業の効率を低下させる大きな原因ともなっていた。
【０００４】
【発明が解決しようとする課題】
そこで、トンネル掘削現場などで使用される大型送風機に用いられている大型の消音装置の吸音部が目づまりを起して消音性能が劣化したり、吸音部の打ち抜き鋼板が腐食して交換したい際には吸音部だけを簡単に消音装置のケーシングから取り出せる大型の消音装置の開発が要望されていた。
【０００５】
本発明は、上記の事情に鑑みてなされたものであり、トンネル掘削現場などで使用される大型送風機に用いる大型の消音装置の吸音部（スプリット）が目づまりを起して消音性能が劣化したり、吸音部の打ち抜き鋼板が腐食して交換したい際に適宜の吸音部のみを消音装置から容易に取り出して吸音材を洗浄したり、交換したりでき、さらに用途に応じて減音したい周波数に対応した吸音材や粉塵の目詰まりに強い吸音材の選択使用が容易にできる消音装置を提供することを目的としている。
【０００６】
【課題を解決するための手段】
本発明は、上記目的を達成するために、前後に開口を有する箱型ケーシングに吸音部を横に立てた状態で複数枚並べて収容した消音装置において、前記吸音部は後端で枢着された一対の打ち抜き鋼板によって吸音材を挾持させ、前面をスプリットカバーによって覆って構成し、該吸音部を前記箱型ケーシングに着脱可能に取り付けたことを特徴としている。
【０００７】
また、前後に開口を有する箱型ケーシングに吸音部を横に立てた状態で複数枚並べて収容した消音装置において、前記吸音部は後端で枢着された一対の打ち抜き鋼板によって吸音材を挾持させ、前面をスプリットカバーによって覆い、かつ底部にはキャスター台車を着脱可能に取り付けて構成し、該吸音部の上下で前記箱型ケーシングに適宜間隔で着脱可能に取り付けたことを特徴としている。
【０００８】
さらに、上記吸音材は用途に応じて減音したい周波数に対応して撥水性グラスウール、セラミックボード、アルミ焼結板等の中から選択して消音性能または対粉塵性能が最適なものを用いることを特徴としている。
【０００９】
【発明の実施の形態】
次に、本発明の実施の形態について説明すると、トンネル掘削現場などで発生する塵埃などを排出して新鮮な空気を取り入れるように使用されている大型送風機は通常大きな騒音を出すので、この騒音を消すためにはトンネルの天井に取り付けられた大型送風機の前後に大型の消音装置を取り付ける必要がある。
本発明に係る消音装置はこのトンネルの天井に取り付けられた大型送風機の前後に取り付けて使用されるものであり、前後に開口を有する大型の箱型ケーシングに吸音部を横に立てた状態で複数枚並べて収容されたものである。
【００１０】
この大型の消音装置の吸音部（スプリット）の吸音材が空気中の塵埃などによって目づまりを起して消音性能が劣化したり、また吸音部の打ち抜き鋼板が腐食して交換する際には、その交換作業を迅速に行うため大型の消音装置全体を取り外さずに、全部または一部の吸音部のみを消音装置から容易に取り出して吸音材表面を洗浄したり、吸音材を交換したりすることができるように、その吸音部（スプリット）は後端が蝶番などで枢着された一対の打ち抜き鋼板によって吸音材を挾持させ、前面をスプリットカバーによって覆い、かつ吸音部の底部にはキャスター台車を着脱可能に取り付けて構成し、この吸音部の上下で前記箱型ケーシングに適宜間隔で着脱可能に取り付けてある。
【００１１】
したがって、消音装置の消音性能が劣化した場合などには、適宜の吸音部（スプリット）のみを消音装置から容易に取り出してその打ち抜き鋼板の上から空気または水を吹き付けて吸音材の表面を洗浄したり、また両側の打ち抜き鋼板を開き、中の吸音材を取り出して容易に交換することができる。そのため吸音材を排気中の塵埃の種類に応じて減音したい周波数に対応した撥水性グラスウール、セラミックボード、アルミ焼結板等の中から適宜選択して消音性能や対粉塵性能が最適なものに簡単に交換することがきる。一方、吸音部の底部にはキャスター台車が付いているから洗浄や交換の際の吸音部（スプリット）の移送にも便利である。
【００１２】
【実施例】
本発明に係る消音装置の一実施例について図面を参照して説明する。図１は本実施例の平面図、図２は本実施例の正面図、図３は本実施例の吸音部の分解斜視図、図４は本実施例の吸音部を開いた状態の斜視図である。
図において、ケーシング１は前後に開口２を有する箱型をしており、この箱型ケーシング１には断面が翼型をした翼型吸音部３を横に立てた状態で複数枚並べて着脱可能に収容されており、本実施例の消音装置Ａは箱型ケーシング１に設けたフランジ１Ａによって大型送風機の前後に固定されている。
なお、図において吸音部３は翼型をしたものを示しているが、吸音部の形状は翼型に限定するものではない。
【００１３】
そして、前記吸音部３は後端で蝶番４などで枢着された一対の打ち抜き鋼板５によって吸音材６を挾持させてある。吸音材６としては普通グラスウール、撥水性グラスウール、セラミックボード、アルミ焼結板等が用いられる。そしてこの打ち抜き鋼板５とは鋼板に多数の孔を穿ったものである。また吸音部３の前面を上下に取付金具７の付いたスプリットカバー８によって着脱可能に覆い、かつ底部にはキャスター台車９が着脱可能に取り付けてある。この吸音部はスプリットカバー８に設けた上下の取付金具７によって前記箱型ケーシング１に適宜の間隔で着脱可能に取り付けたものである。
【００１４】
したがって、トンネル掘削現場などで発生する塵埃などを排出して新鮮な空気を取り入れるように使用されている大型送風機の前後に本実施例の消音装置Ａを取り付け、その騒音を消すことができるが、掘削現場などで使用する消音装置Ａの吸音部（スプリット）３の吸音材６の表面が空気中の塵埃などによって目づまりを起して消音性能が劣化したり、また吸音部の打ち抜き鋼板が腐食して交換する必要がある場合には、消音装置Ａのケーシング１からスプリットカバー８の取付金具７のボルトを外し、底部のキャスター台車９のキャスターを利用して吸音部３を取り出し、所定場所に移動させて洗浄する際には、吸音部３から吸音材６を取り出さずに、打ち抜き鋼板５の上から空気または水を吹き付けて吸音材６の表面を洗浄する。また吸音材６を交換する場合には吸音部３からスプリットカバー８を外し、打ち抜き鋼板５を開いて吸音材６を取り出し、その取り出された吸音材６を交換することができる。
【００１５】
本実施例によれば、消音性能が劣化したりして吸音部を取り出す必要が生じた際は、消音装置全体を取り外さずに、クレーンなどを必要とせずに適宜の吸音部のみを消音装置から簡単に取り出して吸音材を洗浄したり、交換したりすることができるからその交換作業を迅速簡単に行うことができる。
また、吸音部の枢着された両側の打ち抜き鋼板が容易に開くから、中の吸音材を取りだして容易に交換することができ、そのため排気中の塵埃の種類に応じて特に減音したい周波数に対応した吸音材を普通グラスウール、撥水性グラスウール、セラミックボード、アルミ焼結板等の中から適宜選択して消音性能が最適なものに簡単に交換がきる。
【００１６】
【発明の効果】
以上説明した本発明によれば、吸音部は後端で枢着された一対の打ち抜き鋼板によって吸音材を挾持させ、前面をスプリットカバーによって覆い、かつ吸音部の底部にはキャスター台車を着脱可能に取り付けてあるから、消音装置の吸音部（スプリット）が空気中の塵埃などによって目づまりを起して消音性能が劣化したり、また吸音部の打ち抜き鋼板が腐食して交換する必要が生じた際は、消音装置全体を取り外さずに、適宜の吸音部のみを消音装置からクレーンなどを必要とせずに簡単に取り出して吸音材の表面を洗浄したり、交換したりすることができるからその洗浄作業や交換作業を迅速簡単に行うことができる。
【００１７】
また、吸音部（スプリット）の枢着された両側の打ち抜き鋼板が容易に開くから、中の吸音材を取りだして容易に交換することができ、そのため吸音材を排気中の塵埃の種類に応じて減音したい周波数に対応した撥水性グラスウール、セラミックボード、アルミ焼結板等の中から適宜選択して消音性能や対粉塵性能が最適なものに簡単に交換がきる。また吸音部の底部にはキャスター台車が付いているから箱型ケーシングからの出し入れ、または洗浄や交換の際の吸音部（スプリット）の移送なども容易にできる効果がある。
【図面の簡単な説明】
【図１】本実施例の一部破断した平面図である。
【図２】本実施例の正面図である。
【図３】本実施例の吸音部の分解斜視図である。
【図４】本実施例の吸音部を開いた状態の斜視図である。
【符号の説明】
１  ケーシング
１Ａ  フランジ
２  開口
３  吸音部
４  蝶番
５  打ち抜き鋼板
６  吸音材
７  取付金具
８  スプリットカバー
９  キャスター台車
Ａ  消音装置
【図１】
0004052530.tif 000002
【図２】
0004052530.tif 000003
【図３】
0004052530.tif 000004
【図４】
0004052530.tif 000005